(57)【要約】【課題】本発明は、浴室洗浄装置専用の重量センサーなどを設けることなく、浴室乾燥機の運転状態から、間接的に衣類が干されているか否かを検知して、浴室洗浄装置の運転を制御することが可能な浴室洗浄ユニットを提供する。【解決手段】  浴室内を洗浄または殺菌するための水を散水する散水部と、浴室内を乾燥させる衣類乾燥モードを有する浴室乾燥機と、を備え、前記制御装置は、前記浴室乾燥機が前記衣類乾燥モードを実行している際には、前記散水部から散水されることを禁止するように制御することを特徴とする。【選択図】図１
2009195619.tif 000002
【特許請求の範囲】
【請求項１】
浴室内を洗浄または殺菌するための水を散水する散水部と、
浴室内を乾燥させる衣類乾燥モードを有する浴室乾燥機と、
前記散水部からの散水および止水を制御する制御装置と、
を備えた浴室洗浄ユニットであって、
前記制御装置は、前記浴室乾燥機が前記衣類乾燥モードを実行している際には、前記散水部から散水されることを禁止するように制御することを特徴とする浴室洗浄ユニット。
【請求項２】
前記制御部は、前記浴室乾燥機が前記衣類乾燥モードを実行している状態で、散水部からの散水を指示する指令があった場合には、指令を消去することを特徴とする請求項１記載の浴室洗浄ユニット。
【請求項３】
浴室内を洗浄または殺菌するための水を散水する散水部と、
浴室内を乾燥させる衣類乾燥モードを有する浴室乾燥機と、
操作者に報知する報知手段と、
前記散水部からの散水および止水を制御する制御装置と、
を備えた浴室洗浄ユニットであって、
前記制御装置は、前記浴室乾燥機が前記衣類乾燥モードを実行している際に、前記散水部から散水を行う指令があった場合には、前記報知手段により報知することを特徴とする浴室洗浄ユニット。
【請求項４】
前記制御装置は、殺菌水吐水の指令を、機器が自動で発信することを特徴とする請求項１〜３のいずれかに記載の浴室洗浄ユニット。
【請求項５】
前記制御装置は、殺菌水吐水の指令を、使用者の入力した時刻に、機器が自動で発信することを特徴とする請求項４に記載の浴室洗浄ユニット。
【請求項６】
前記報知手段は、リモコンに設けられた液晶表示装置に表示させる、またはリモコンから音声、音、光などを発生させることにより、操作者に警告や告知を行うことを特徴とする請求項４記載の浴室洗浄ユニット。
【発明の詳細な説明】
【技術分野】
【０００１】
本発明は、浴室内に洗浄水または殺菌水を散水し、浴室内を洗浄または殺菌水する浴室洗浄ユニットに関する。
【背景技術】
【０００２】
浴室内の汚れには、人体の洗浄に使用された石鹸やシャンプーなどのカス、人体から発生した垢（タンパク質系、炭水化物系、油脂系、塩類等）などがあり、使用者は頻繁に掃除を行う必要がある。
【０００３】
このような汚れを自動で掃除するために、洗剤を含有した洗浄水や、殺菌成分が添加された殺菌水を浴室内に自動で散水する浴室洗浄装置が提案されている（特許文献１、特許文献２参照）。しかしながら、特許文献１や特許文献２に開示されている浴室洗浄装置では、浴室内に衣類が干されている状態で、浴室洗浄装置を運転することが可能であったため、運転の度に、浴室内に衣類が干されていないことを確認する必要があった。また、浴室内に衣類が干されている状態で、誤って運転を開始してしまうおそれがあった。そこで、浴室内に物干しパイプに重量センサーを設けることで、浴室内に衣類が干されているか否かを検知して、浴室洗浄装置の運転を制御することが考えられる。しかし、重量センサーなどを専用に設けなければならないため、好ましくなかった。
【特許文献１】特開平９−２２０２７３号公報
【特許文献２】特許３３３９３５１号公報
【発明の開示】
【発明が解決しようとする課題】
【０００４】
本発明は、浴室洗浄装置専用の重量センサーなどを設けることなく、浴室乾燥機の運転状態から、間接的に衣類が干されているか否かを検知して、浴室洗浄装置の運転を制御することが可能な浴室洗浄ユニットを提供する。
【課題を解決するための手段】
【０００５】
本発明の一態様によれば、浴室内を洗浄または殺菌するための水を散水する散水部と、浴室内を乾燥させる衣類乾燥モードを有する浴室乾燥機と、前記散水部からの散水および止水を制御する制御装置と、を備えた浴室洗浄ユニットであって、前記制御装置は、前記浴室乾燥機が前記衣類乾燥モードを実行している際には、前記散水部から散水されることを禁止するように制御することを特徴とする浴室洗浄ユニットが提供される。
また、本発明の一態様によれば、浴室内を洗浄または殺菌するための水を散水する散水部と、浴室内を乾燥させる衣類乾燥モードを有する浴室乾燥機と、操作者に報知する報知手段と、前記散水部からの散水および止水を制御する制御装置と、を備えた浴室洗浄ユニットであって、前記制御装置は、前記浴室乾燥機が前記衣類乾燥モードを実行している際に、前記散水部から散水を行う指令があった場合には、前記報知手段により報知することを特徴とする浴室洗浄ユニットが提供される。
【発明の効果】
【０００６】
本発明によれば、浴室洗浄装置専用の重量センサーなどを設けることなく、浴室乾燥機の運転状態から、間接的に衣類が干されているか否かのを検知して、浴室洗浄装置の運転を制御することが可能な浴室洗浄ユニットが提供される。
【発明を実施するための最良の形態】
【０００７】
本発明に係る浴室殺菌ユニットの一実施形態について、添付図面を参照して説明する。図１は、本実施形態に係る浴室殺菌システムの全体的な概要を示すものである。
この浴室殺菌システムは、浴槽２と、浴槽２の長辺側に隣接する洗い場床３と、浴槽２側から洗い場床３を隔てて浴槽２に対向する第１の壁面４へ横設された浴室カウンタ５と、浴室殺菌装置１とから構成される。洗い場床３は、排水ピット７内に向かって排水用の下り勾配が取られている。ここで、浴室カウンタ５は、第２の壁面４２に取り付けられており、浴槽２のリム２ａより低い位置に配置されている。
また、この浴室には、洗い場床３の浴槽２側端辺から、浴槽２の洗い場床３側端辺までを掩蔽するバスエプロン６と、洗い場床３の浴槽２側端辺に、洗い場床３より一段低く形成され、排水トラップ（図示せず）が取設される排水ピット７が設けられ、排水ピット７上面には、洗い場床上の水が排水ピット７内に流入可能な程度の隙間を空けて排水蓋８が載置される。浴室乾燥機４４は、浴室の天井裏に設置され、排気ダクト４５と繋がり、操作リモコン４７からの信号を通信線４６を通して受信する。尚、通信線４６は、制御ボックスに対しても信号を送信可能となっている。
【０００８】
図１と図２で、浴室乾燥機４４の作動について説明する。操作リモコン４７には、換気スイッチ４９、乾燥スイッチ５０、暖房スイッチ５１、涼風スイッチ５２があり、各運転を停止する止スイッチ４８がある。換気スイッチ４９を押すと、換気・循環ファン６１が作動し、吸気口６０から浴室内の空気を吸い込み、換気用風路６４を通って排気ダクト４５から屋外へ排出される。この時、流路切替ダンパ６３は、循環用風路６６を塞ぐ位置に移動する。乾燥スイッチ５０を押すと、流路切替ダンパ６３は、換気用風路６４と循環用風路６６の中間位置に移動し、換気・循環ファン６１と電気ヒータ６５により、吸気した浴室内の空気を一部排気ダクトに排出し、残りの空気を、電気ヒータ６５で温めて浴室内へ戻す。このようにすることで、衣類が含んでいる水分を短時間内に蒸発させながら、高湿度の空気を屋外に排気することができるため、衣類乾燥に適した運転を行うことができる。尚、図示しない水分を吸着する吸着材を設けて、浴室内の水分を除湿する形態も、本モードの別実施形態として含む。涼風スイッチ５２を押す場合は、電気ヒータ６５をＯＦＦにし、換気・循環ファン、流路切替ダンパは乾燥運転と同様である。暖房スイッチ５１を押すと、流路切替ダンパ６３が換気用風路６４を塞ぎ、電気ヒータ６５を作動させて、浴室内の空気を温めながら循環させる。また、操作リモコン４７の数字表示手段５７は、時計表示と各運転の運転時間を表示し、時計スイッチ５４ａ、５４ｂで時計の数字を合わせ、予約スイッチ５５で各運転の開始時間、停止時間を予約または確認する。本発明の衣類乾燥モードは、乾燥スイッチ５０が押された場合に、浴室乾燥機４４が作動するモードに相当する。
【０００９】
浴室殺菌装置１は、制御ボックス（制御装置）１０と、機能ユニット１１と、殺菌水吐水部に該当する散水部１２と、リモコン１３とを備える。
制御ボックス１０は、浴室の天井裏に設置され、リモコン１３からの指示により、機能ユニット１１内の後述する電磁弁及び電解槽を制御する。機能ユニット１１は、殺菌水を生成するユニットであり、浴室カウンタ内に内蔵され、その先端には殺菌水を散布する散水部１２が接続される。
【００１０】
リモコン１３は、浴室前の更衣室等の壁面に設置され、スイッチ１３ａとＬＥＤ１３ｂとを備える。スイッチ１３ａをＯＮにすると、浴室殺菌装置１が作動を開始するとともに、ＬＥＤ１３ｂが点灯し、浴室殺菌装置１が作動中であることを表示する。またリモコン１３には、報知手段１３ｃが設けられ、スイッチ１３ａが押されたとき、浴室乾燥機４４が、衣類乾燥モードを実行している場合は、使用者に注意を喚起する。
【００１１】
浴室カウンタ５内部には、図３に示すように、洗い場水栓（吐水部）に給水／給湯する給水管１５及び給湯管１６が配管される。このうち給水管１５は、分岐されて、機能ユニット１１に水を供給する水道水導入管１７が接続される。この水道水導入管１７の途中には止水栓１８が設けられ、この止水栓１８を閉めることにより、機能ユニット１１を取り外す際にも、浴室の通常の使用に支障を来さないようになっている。
【００１２】
水道水導入管１７により導入された水は、機能ユニット１１内において殺菌水に変成され、殺菌水導出管１９を経由して散水部１２へと送られる。
【００１３】
機能ユニット１１は、図４（ａ）に示すように、ケース２０内に、水道水導入管１７に接続する流入口２１を介して順に、電磁弁２２、定流量弁２３、大気開放弁２４、逆止弁２５、及び電解槽２６が連通され、電解槽２６は、流出口２７を介して殺菌水導出管に接続される。ここで、流入口および流出口は浴室カウンターの前端部側に配置されるように取設されており、流入口と流出口の軸はそれぞれ対角位置に配置されている。電解槽を介して流入口と流出口を連通するための管路部は、流入口から浴室カウンターの後端部側に直進する往路部と、流出口から浴室カウンターの後端部側に直進する復路部と、往路部および復路部の浴室カウンター後端部側の端部を連通するためにＵ字状に屈曲すると共に、復路部が往路部に比べて高い位置に配置されるように取り付けられる屈曲部と、を有している。
【００１４】
機能ユニット１１は、ケース２０内にウレタン樹脂２８が充填されて、防水構造とされている。これにより、電気部品の端子部の防水と、通水部からの漏水が防止される。
また、図４（ｂ）に示すように、機能ユニット１１の大きさを最小とすべく、流入ロ２１と流出口２７の軸が、ケース２０の対角に位置するように配設される。
【００１５】
リモコン１３のスイッチ１３ａが押されると、制御ボックス１０からの指示により電磁弁２２が開閉する。そして、電磁弁２２が開くことにより通水され、定流量弁２３により流量が一定に保たれる。これにより、生成される殺菌水の濃度が一定に保たれると同時に、散水部１２から散布される殺菌水の水圧も一定に保たれ、所望の範囲に殺菌水を散布することが可能となる。
【００１６】
通水状態になると、電解槽２６の電極２９に通電が開始され、電極２９の電気分解が行われて銀イオンが発生する。銀イオンを含有する水は殺菌水として散水部１２へ送られる。こうして生成された殺菌水は、逆止弁２５により給水管１５へと逆流することが防止される。
【００１７】
大気開放弁２４は、通電時（電磁弁開）においては閉止状態になって、水が外部に漏出することが防止され、待機時（電磁弁閉）には開放状態になって、逆止弁２５より下流側は空気と置換される。これにより、電解槽２６内に残存水が残ることが防止される。
【００１８】
電解槽２６の電極２９は、銀、銀合金または銀メッキ金属により形成され、電極２９の電気分解が行われると銀イオンが発生する。この電極２９は、図５（ａ）に示すように、電極２９同士が水平になるような位置関係で設置されている。これにより、図５（ｂ）に示すように、待機時に残存水の表面張力による電極の導通状態が回避される。このようにすることで、電解槽をコンパクト（厚みを薄く）にしても、待機時に残存水の表面張力によって電極が導通状態になることを回避できる。
【００１９】
散水部１２は、図６に示すように、大別して、殺菌水導出管１９に接続されるボディ３０と、その先端に軸支される回転体３１とから構成される。回転体３１はまた、上側部材３２と下側部材３３とに分割され、ワッシャ３４を介して、固定ビス３５により、ボディ３１の先端に回転自在に取設される（図８参照。）。回転体３１はこのように取り外し可能かつ分解可能に形成されているので、その内部及びボディ３０の先端を清掃することができる。
【００２０】
回転体３１（の下側部材３３）には、図７（ａ）に示すように、４対８個の液体噴出孔３３ａ，３３ｂ，３３ｃ，３３ｄが設けられる。これらの液体噴出孔３３ａ，３３ｂ，３３ｃ，３３ｄは、回転体３１の回転中心から同一方向へ同一距離偏心して設けられるので、通水状態になると、水流により回転し、洗い場床３ヘ殺菌水を万遍なく散布することができる。
【００２１】
これらのうち、液体噴出孔３３ａは、図７（ｂ）に示すように、水平に開口するものの、液体噴出孔３３ｂは、図７（ｃ）に示すように、仰角４°に開口する。また、液体噴出孔３３ｃは、図７（ｄ）に示すように、仰角８°に、液体噴出孔３３ｄは、図７（ｄ）に示すように、仰角１２°にそれぞれ開口する。
【００２２】
これにより、洗い場床３の散水部近傍から遠方まで、万遍なく散布することができる。なお、各液体噴出孔の仰角は、散布する洗い場床の広さに応じて適宜決定される。
ところで、ボディ３０の先端は、図８に示すように、直径Ｄ１に形成された軸先端３０ａのさらに先に直径Ｄ２の最先端３０ｂが段落ちして形成される。これに対応して、上側部材３２には、軸先端３０ａが挿通可能な直径Ｄ１’の挿通孔３２ａが形成され、下側部材３３には、最先端３０ｂが挿通可能なものの軸先端３０ａは挿通不能な直径Ｄ２’’の挿通孔３３ｅが形成される。
【００２３】
これにより、回転体３１を分解した後、誤って上側部材３２と下側部材３３とを上下逆に取り付けることが防止されるので、液体噴出孔３３ｂ，３３ｃ，３３ｄは仰角を確保でき、常に上方を指向して開口する。
【００２４】
本実施の形態に係る浴室殺菌システムは上記のように構成されており、以下その殺菌水散布状態について説明する。図９は、殺菌水の散布状態を示す平面図であり、図１０は同立面図である。
【００２５】
図９に示すＧのエリアは、主に仰角０°の液体噴出孔３３ａからの殺菌水が散布されるエリアであり、同Ｈのエリアは、主に仰角４°の液体噴出孔３３ｂからの殺菌水が散布されるエリア、同じく、Ｉ及びＪのエリアは、それぞれ主に仰角８°及び１２°の液体噴出孔３３ｃ及び３３ｄからの殺菌水が散布されるエリアである。このように、液体噴出口３３ａ，３３ｂ，３３ｃ，３３ｄの仰角を異ならせることにより広範囲に亘って殺菌水を散布することが可能となる。
【００２６】
これに対し、図９に示すＦのエリアには、殺菌水は直接散布されない。このエリアには、図１０に示すように、散水部１２より奥側で浴室カウンタが取設される第２の壁面４２、第２の壁面近傍側の第１の壁面４、または第２の壁面近傍側のバスエプロン６に当たり跳ね返った水、及び跳ね返った後そこから洗い場床３の勾配に沿って流れ下る殺菌水により洗浄される。このように、散水部１２が回転して吐水する形態であるため、散水部から離れたエリアＧ，Ｈ，Ｉ，Ｊエリア用の液体噴出孔を設けておけば、必然的に散水部１２近傍の洗い場床上は、大量の殺菌水が流れることになる。これにより、洗い場床上全面に殺菌水を行き渡らせることが可能となる。特に、水道圧力のみで、散水部１２遠方側まで殺菌水を散布するためには、液体噴出孔の総孔面積に限界があるが、本実施形態では、散水部から離れたエリアＧ，Ｈ，Ｉ，Ｊエリア用の液体噴出孔のみで足りるため、水道水圧のみで洗い場床の全面に殺菌水を行き渡らせることができる。
【００２７】
この点、散水部１２は、浴槽２と洗い場床３を隔てて対向する壁面４近傍、すなわち、排水ピット７と対角位置となるに水上に取設されるので、散水部近傍においても殺菌水が廻らないエリアはない。
【００２８】
また、散水部１２は、浴室カウンタ５下部に取設されるので、浴室カウンタ５下部が陰になって、殺菌水が廻らないということもない。
【００２９】
他方、液体噴出口３３ｄの仰角は一定以下に抑えられるので、無闇に広いエリアに散布することはなく、経済的であるばかりでなく、図１０に示すように、殺菌水は最高位置でも浴槽２のリム２ａの高さを超えないので、風呂蓋に殺菌水がかかることもない。
【００３０】
さらに、殺菌水は、バスエプロン６に向かっても散布されるので、図１１に示すように、排水ピット７上の排水蓋８とバスエプロン６との間にできる隙間には、バスエプロン６に当たって流れ落ちる殺菌水によって洗浄される。このように、洗い場床３を流れ落ちる殺菌水だけでは網羅できないエリア（排水ピットにおけるバスエプロン６側の端辺であって、特にその中央付近は洗い場床上を流れた殺菌水が流れにくい。）も洗浄することができる。
【００３１】
図１２〜図１４は、浴室乾燥機の衣類乾燥モードが実行されている際には、散水部からの殺菌水吐水を禁止するフローチャートである。
【００３２】
図１２は、洗い場殺菌ＳＷがＯＮされると、浴室乾燥機が衣類乾燥モードを実行していない場合のみ、電磁弁を開き、殺菌水の吐水を開始する。電磁弁を開、殺菌水生成装置の運転をＯＮにしたと同時に、タイマーを作動させ、タイマーが所定時間をカウントしたら、電磁弁を閉じ、殺菌水生成装置を停止し、運転を終了する。殺菌水を吐水する所定時間は、洗い場全面を万遍なく洗浄し、排水トラップ内の水をほぼ完全に置換する時間Ｔ0に設定する。一方、洗い場殺菌ＳＷをＯＮにした際に衣類乾燥モードが作動している場合には、殺菌水生成装置の運転を行わない。
【００３３】
図１３は、機器が予め決められた時刻になると、洗い場殺菌指令を発信するフローチャートである。人の浴室使用が通常行われていない深夜にタイマを設定し、その時刻が来て、浴室乾燥機の衣類乾燥モードの実行がない場合、電磁弁を開き、殺菌水の吐水を開始する。所定時間殺菌水を洗い場に散水し、所定時間後に殺菌水生成と電磁弁を止めて運転を終了する。殺菌水を吐水する所定時間は、洗い場全面を万遍なく洗浄し、排水トラップ内の水をほぼ完全に置換する時間Ｔ0に設定する。一方、洗い場殺菌指令があった時、衣類乾燥モードが作動している場合には、殺菌水生成装置の運転を行わない。
【００３４】
この場合、機器が自動で洗い場殺菌の信号を出すので、毎日確実に殺菌水を吐水できるメリットがある。手動で使用者が浴室使用後に殺菌水吐水ＳＷをＯＮさせるものと組み合わせても良い。浴室の使用直後と、菌の活動が活発化する夜間の２回殺菌水を流すことで、浴室の防汚効果が更に高まる。信号を発信する時刻は、使用者が任意に入力しても良いし、浴室乾燥機の作動データから、使用者の浴室使用時刻を学習し、夜間の使用がない時刻に設定しても良い。ただし、衣類乾燥モードが作動している場合には、殺菌水生成装置の運転は行わない。
【００３５】
図１４は、洗い場殺菌ＳＷがＯＮされると、浴室乾燥機の衣類乾燥モードの実行がない場合に、電磁弁を開いて、殺菌水の吐水を開始する。衣類乾燥モードが作動している場合、報知手段がＯＮし、浴室内で衣類乾燥があるかどうか注意を喚起する。その後、再度殺菌水吐水を行うかどうか機器が使用者に問い合わせ、殺菌水吐水ＯＫの入力が行われると、殺菌水吐水を行う。この場合も同様に、洗い場殺菌ＳＷがＯＮには、制御装置が決められた時間に自動で殺菌水吐水の信号を発する場合も含まれる。
【００３６】
尚、報知手段の例としては、リモコンに設けられた液晶表示装置に表示させる、またはリモコンから音声、音、光などを発生させることにより、操作者に警告や告知を行うものが挙げられる。
【００３７】
本実施例における殺菌水としては、殺菌性物質又はイオンを含有する水を例示することができる。具体的には、遊離塩素、抗菌性金属（例えば、銀、銅、亜鉛等）又はそのイオン、オゾン、オゾン含有水、結合塩素、有機塩素系消毒液、有機リン酸系消毒液、ベルオクソ炭酸イオン又はその塩、アルコール系消毒液などを挙げることができる。
【００３８】
また、本発明は、浴室洗浄装置に関わることで、上の実施例に示した洗い場殺菌水吐水に限定されるものではない。洗い場に洗剤を散布する形態、浴槽内に洗剤を散布する形態、浴槽内を殺菌水で殺菌する形態、浴室全体に洗剤が含有した洗浄水や、殺菌水を散布する形態等も本発明の実施形態に含まれる。いずれの場合であっても、殺菌成分を水に混入させる殺菌水生成部または洗剤を混入する洗浄水生成部を設け、それら生成部の運転および停止と、吐水および止水を制御する制御装置と、給湯器の運転状態を制御する制御部が、ケーブルなどを介して接続するか、無線で通信可能とされていれば良い。
【００３９】
また、本発明の示す吐水部には、洗い場側に面して取り付けられる形態の他に、浴槽側に面して取り付けられる形態も含まれる。
【００４０】
尚、上述した本実施形態による浴室殺菌ユニットによれば、以下の効果が得られる。浴室乾燥機の運転状態から、間接的に衣類が干されているか否かを検知して、浴室洗浄装置の運転を制御することが可能となる。このようにすることで、誤って、衣類に殺菌水または洗浄水がかかることを防止できる。
【００４１】
以上に説明した実施態様は説明のためのものであり、本発明の範囲を制限するものではない。したがって、当業者であればこれらの各要素もしくは全要素をこれと均等なものによって置換した実施態様を採用することが可能であるが、これらの実施態様も本発明の範囲に含まれる。
【図面の簡単な説明】
【００４２】
【図１】本発明に係る浴室殺菌システムの一実施形態の全体概要を示す図。
【図２】浴室乾燥機の構成を示す図。
【図３】浴室カウンタ裏面に取設された機能部を示す図で、（ａ）は平面図、（ｂ）は正面図、（ｃ）は側面図。
【図４】機能部の詳細を示す図で、（ａ）は正面図、（ｂ）は側面図図。
【図５】銀電極の配置を模式的に説明する図。
【図６】散布ノズルの構成を示す図。
【図７】散布ノズルの回転体を示す図で、（ａ）は平面図、（ｂ）はＢ−Ｂ断面図、（ｃ）はＣ−Ｃ断面図、（ｄ）はＤ−Ｄ断面図、（ｅ）はＥ−Ｅ断面図。
【図８】散布ノズルの分解断面図。
【図９】殺菌水の散布状態を示す平面図。
【図１０】殺菌水の散布状態を示す立面図。
【図１１】排水ピット廻りにおける殺菌水の散布状態を示す斜視図。
【図１２】衣類乾燥モードが作動している時は殺菌水吐水を禁止するフローチャート。
【図１３】機器が自動で殺菌水吐水の指令を発信する場合のフローチャート。
【図１４】殺菌水吐水を開始する時、衣類乾燥モードが作動している時は、使用者に報知するフローチャート。
【符号の説明】
【００４３】
１  浴槽殺菌装置
２  浴槽
２ａ  リム
３  洗い場床
４  第１の壁面
５  浴室カウンタ
６  バスエプロン
７  排水ピット
８  排水蓋
１０  制御ボックス
１１  機能ユニット
１２  散布部
１３  リモコン
１３ａ  スイッチ
１３ｂ  ＬＥＤ
１３ｃ  報知手段
１５  給水管
１６  給湯管
１７  水道水導入管
１８  止水栓
１９  殺菌水導出管
２０  ケース
２１  流入口
２２  電磁弁
２３  定流量弁
２４  大気開放弁
２５  逆止弁
２６  電解槽
２７  流出口
２８  ウレタン樹脂
２９  電極
３０  ボディ
３０ａ  軸先端
３０ｂ  最先端
３１  回転体
３２  上側部材
３２ａ  ３３ｅ  挿通孔
３３ａ，３３ｂ，３３ｃ，３３ｄ  液体噴出孔３３  下側部材
３４  ワッシャ
３５  固定ビス
４２  第二の壁面
４４  浴室乾燥機
４５  排気ダクト
４６  通信線
４７  操作リモコン
４８  止スイッチ
４９  換気スイッチ
５０  乾燥スイッチ
５１  暖房スイッチ
５２  涼風スイッチ
５４ａ、５４ｂ  時計スイッチ
５５  予約スイッチ
５７  数字表示手段
６０  吸気口
６１  換気・循環ファン
６３  流路切替ダンパ
６４  換気用風路
６５  電気ヒータ
６６  循環用風路
【図１】
2009195619.tif 000003
【図２】
2009195619.tif 000004
【図３】
2009195619.tif 000005
【図４】
2009195619.tif 000006
【図５】
2009195619.tif 000007
【図６】
2009195619.tif 000008
【図７】
2009195619.tif 000009
【図８】
2009195619.tif 000010
【図９】
2009195619.tif 000011
【図１０】
2009195619.tif 000012
【図１１】
2009195619.tif 000013
【図１２】
2009195619.tif 000014
【図１３】
2009195619.tif 000015
【図１４】
2009195619.tif 000016